(57)【特許請求の範囲】
【請求項１】
一対の引手を連結して引戸に取り付ける連結ジョイントであって、
ジョイント本体は、連結体を有し、
前記連結体は、一方が引手に取り付けられ、他方に係合部が設けられており、
前記連結体の係合部は、係合凸部と係合凹部とで形成され、
前記係合凸部は、外側両面に外側係止歯が形成され、
前記係合凹部は、内側両面に内側係止歯が形成され、
前記ジョイント本体は、前記係合凸部と前記係合凹部を、他のジョイント本体の係合凹部と係合凸部に係合すると、前記係合凸部の前記外側係止歯と前記係合凹部の前記内側係止歯が噛み合って、前記他のジョイント本体と連結するように構成されており、
前記内側係止歯は、前記係合凹部の先部に形成され、
前記係合凸部は、矩形体状に形成され、対向する両面外側に前記外側係止歯が設けられ、
前記係合凹部は、基壁と、前記基壁の両側に形成された側壁とで断面略コ字状に形成され、対向する側壁内面に前記内側係止歯が設けられており、
前記側壁には、前記内側係止歯と前記連結体の間に、切り欠きが形成されている
ことを特徴する連結ジョイント。
【請求項２】
前記基壁には、切り欠きが形成されている
ことを特徴する請求項１記載の連結ジョイント。
【請求項３】
一対の引手を連結して引戸に取り付ける連結ジョイントであって、
ジョイント本体は、連結体を有し、
前記連結体は、一方が引手に取り付けられ、他方に係合部が設けられており、
前記連結体の係合部は、係合凸部と係合凹部とで形成され、
前記係合凸部は、外側両面に外側係止歯が形成され、
前記係合凹部は、内側両面に内側係止歯が形成され、
前記ジョイント本体は、前記係合凸部と前記係合凹部を、他のジョイント本体の係合凹部と係合凸部に係合すると、前記係合凸部の前記外側係止歯と前記係合凹部の前記内側係止歯が噛み合って、前記他のジョイント本体と連結するように構成されており、
前記内側係止歯は、前記係合凹部の先部に形成され、
前記係合凸部は、矩形体状に形成され、対向する両面外側に前記外側係止歯が設けられ、
前記係合凹部は、基壁と、前記基壁の両側に形成された側壁とで断面略コ字状に形成され、対向する側壁内面に前記内側係止歯が設けられており、
前記基壁には、切り欠きが形成されている
ことを特徴する連結ジョイント。
【請求項４】
一対の引手を連結して引戸に取り付ける連結ジョイントであって、
ジョイント本体は、連結体を有し、
前記連結体は、一方が引手に取り付けられ、他方に係合部が設けられており、
前記連結体の係合部は、係合凸部と係合凹部とで形成され、
前記係合凸部は、外側両面に外側係止歯が形成され、
前記係合凹部は、内側両面に内側係止歯が形成され、
前記ジョイント本体は、前記係合凸部と前記係合凹部を、他のジョイント本体の係合凹部と係合凸部に係合すると、前記係合凸部の前記外側係止歯と前記係合凹部の前記内側係止歯が噛み合って、前記他のジョイント本体と連結するように構成されており、
前記内側係止歯は、前記係合凹部の先部及び後部に形成され、
前記係合凸部は、矩形体状に形成され、対向する両面外側に前記外側係止歯が設けられ、
前記係合凹部は、基壁と、前記基壁の両側に形成された側壁とで断面略コ字状に形成され、対向する側壁内面の前記先部と前記後部に前記内側係止歯が設けられており、
前記側壁には、前記先部側の前記内側係止歯と前記後部側の前記内側係止歯の間に、断面コ字状の切り欠きが形成され、
前記切り欠きの大きさを変化させることにより、前記内側係止歯の弾性変形力が変化する
ことを特徴する連結ジョイント。
【請求項５】
前記基壁には、切り欠きが形成されている
ことを特徴する請求項４記載の連結ジョイント。
【請求項６】
一対の引手を連結して引戸に取り付ける連結ジョイントであって、
ジョイント本体は、連結体を有し、
前記連結体は、一方が引手に取り付けられ、他方に係合部が設けられており、
前記連結体の係合部は、係合凸部と係合凹部とで形成され、
前記係合凸部は、外側両面に外側係止歯が形成され、
前記係合凹部は、内側両面に内側係止歯が形成され、
前記ジョイント本体は、前記係合凸部と前記係合凹部を、他のジョイント本体の係合凹部と係合凸部に係合すると、前記係合凸部の前記外側係止歯と前記係合凹部の前記内側係止歯が噛み合って、前記他のジョイント本体と連結するように構成されており、
前記内側係止歯は、前記係合凹部の先部及び後部に形成され、
前記係合凸部は、矩形体状に形成され、対向する両面外側に前記外側係止歯が設けられ、
前記係合凹部は、基壁と、前記基壁の両側に形成された側壁とで断面略コ字状に形成され、対向する側壁内面の前記先部と前記後部に前記内側係止歯が設けられており、
前記基壁には、切り欠きが形成されている
ことを特徴する連結ジョイント。
【請求項７】
前記引手に前記ジョイント本体が一体的に形成されていることを特徴する請求項１乃至６のいずれか１項に記載の連結ジョイント。
【発明の詳細な説明】
【技術分野】
【０００１】
本発明は、引戸に一対の引手を連結して取り付ける連結ジョイントに関する。
【背景技術】
【０００２】
従来の連結ジョイントは、引手本体の長手方向両側に取り付けられ、一対の引手本体を連結して引戸に固定するものである。一対の引手本体は、一方の引手本体を引戸の一方の面側から取付長孔に装着し、他方の引手本体を引戸の他方の面側から取付長孔に装着して、一方の引手本体の連結ジョイントと他方の引手本体の連結ジョイントをネジにより連結させて引戸に取り付けられる（例えば、特許文献１）。
【先行技術文献】
【特許文献】
【０００３】
【特許文献１】特開２００５−７６２７８号公報
【発明の概要】
【発明が解決しようとする課題】
【０００４】
従来の連結ジョイントは、引手本体の長手方向両側に設けられ、引手本体同士を連結して一体化するために、ネジを利用するので、ワンタッチで簡単に引手本体同士を連結させることができず、組み立てが面倒であるという問題点があった。さらに、従来の連結ジョイントは、連結ジョイント同士をネジで連結する構造なので、引手本体を取り付ける引戸の厚みが決まっており、引戸の厚みが異なると対応することができないという問題点があった。また、従来の連結ジョイントは、連結ジョイント同士をネジにより連結する構成なので、連結ジョイント同士の連結力が一定であり、引戸の種類に応じて連結力を変更させる等の柔軟な対応ができないという問題点があった。
【０００５】
本願発明は、上記問題点に鑑み案出したものであって、引手本体同士をワンタッチで簡単に連結させることができ、引戸の厚みが異なっても対応することができる連結ジョイントを提供することを第１の目的とする。さらに、連結ジョイント同士の連結力を必要に応じて変更させることができる連結ジョイントを提供することを第２の目的とする。
【課題を解決するための手段】
【０００６】
本願請求項１記載の連結ジョイントは、上記第１及び第２の目的を達成するため、一対の引手を連結して引戸に取り付ける連結ジョイントであって、ジョイント本体は、連結体を有し、前記連結体は、一方が引手に取り付けられ、他方に係合部が設けられており、前記連結体の係合部は、係合凸部と係合凹部とで形成され、前記係合凸部は、外側両面に外側係止歯が形成され、前記係合凹部は、内側両面に内側係止歯が形成され、前記ジョイント本体は、前記係合凸部と前記係合凹部を、他のジョイント本体の係合凹部と係合凸部に係合すると、前記係合凸部の前記外側係止歯と前記係合凹部の前記内側係止歯が噛み合って、前記他のジョイント本体と連結するように構成されており、前記内側係止歯は、係合凹部の先部に形成され、前記係合凸部は、矩形体状に形成され、対向する両面外側に前記外側係止歯が設けられ、前記係合凹部は、基壁と、前記基壁の両側に形成された側壁とで断面略コ字状に形成され、対向する側壁内面に前記内側係止歯が設けられており、前記側壁には、前記内側係止歯と前記連結体の間に、切り欠きが形成されていることを特徴とする。
【０００７】
本願請求項２記載の連結ジョイントは、上記第２の目的を達成するため、前記基壁には、切り欠きが形成されていることを特徴する。
【０００８】
本願請求項３記載の連結ジョイントは、上記第１及び第２の目的を達成するため、一対の引手を連結して引戸に取り付ける連結ジョイントであって、ジョイント本体は、連結体を有し、前記連結体は、一方が引手に取り付けられ、他方に係合部が設けられており、前記連結体の係合部は、係合凸部と係合凹部とで形成され、前記係合凸部は、外側両面に外側係止歯が形成され、前記係合凹部は、内側両面に内側係止歯が形成され、前記ジョイント本体は、前記係合凸部と前記係合凹部を、他のジョイント本体の係合凹部と係合凸部に係合すると、前記係合凸部の前記外側係止歯と前記係合凹部の前記内側係止歯が噛み合って、前記他のジョイント本体と連結するように構成されており、前記内側係止歯は、前記係合凹部の先部に形成され、前記係合凸部は、矩形体状に形成され、対向する両面外側に前記外側係止歯が設けられ、前記係合凹部は、基壁と、前記基壁の両側に形成された側壁とで断面略コ字状に形成され、対向する側壁内面に前記内側係止歯が設けられており、前記基壁には、切り欠きが形成されていることを特徴する。
【０００９】
本願請求項４記載の連結ジョイントは、上記第１及び第２の目的を達成するため、一対の引手を連結して引戸に取り付ける連結ジョイントであって、ジョイント本体は、連結体を有し、前記連結体は、一方が引手に取り付けられ、他方に係合部が設けられており、前記連結体の係合部は、係合凸部と係合凹部とで形成され、前記係合凸部は、外側両面に外側係止歯が形成され、前記係合凹部は、内側両面に内側係止歯が形成され、前記ジョイント本体は、前記係合凸部と前記係合凹部を、他のジョイント本体の係合凹部と係合凸部に係合すると、前記係合凸部の前記外側係止歯と前記係合凹部の前記内側係止歯が噛み合って、前記他のジョイント本体と連結するように構成されており、前記内側係止歯は、前記係合凹部の先部及び後部に形成され、前記係合凸部は、矩形体状に形成され、対向する両面外側に前記外側係止歯が設けられ、前記係合凹部は、基壁と、前記基壁の両側に形成された側壁とで断面略コ字状に形成され、対向する側壁内面の前記先部と前記後部に前記内側係止歯が設けられており、前記側壁には、前記先部側の前記内側係止歯と前記後部側の前記内側係止歯の間に、断面コ字状の切り欠きが形成され、前記切り欠きの大きさを変化させることにより、前記内側係止歯の弾性変形力が変化することを特徴とする。
【００１０】
本願請求項５記載の連結ジョイントは、上記第２の目的を達成するため、前記基壁には、切り欠きが形成されていることを特徴する。
【００１１】
本願請求項６記載の連結ジョイントは、上記第１及び第２の目的を達成するため、一対の引手を連結して引戸に取り付ける連結ジョイントであって、ジョイント本体は、連結体を有し、前記連結体は、一方が引手に取り付けられ、他方に係合部が設けられており、前記連結体の係合部は、係合凸部と係合凹部とで形成され、前記係合凸部は、外側両面に外側係止歯が形成され、前記係合凹部は、内側両面に内側係止歯が形成され、前記ジョイント本体は、前記係合凸部と前記係合凹部を、他のジョイント本体の係合凹部と係合凸部に係合すると、前記係合凸部の前記外側係止歯と前記係合凹部の前記内側係止歯が噛み合って、前記他のジョイント本体と連結するように構成されており、前記内側係止歯は、前記係合凹部の先部及び後部に形成され、前記係合凸部は、矩形体状に形成され、対向する両面外側に前記外側係止歯が設けられ、前記係合凹部は、基壁と、前記基壁の両側に形成された側壁とで断面略コ字状に形成され、対向する側壁内面の前記先部と前記後部に前記内側係止歯が設けられており、前記基壁には、切り欠きが形成されていることを特徴する。
【００１２】
本願請求項７記載の連結ジョイントは、上記第２の目的を達成するため、前記引手に前記ジョイント本体が一体的に形成されていることを特徴する。
【発明の効果】
【００１３】
本願発明に係る連結ジョイントは、一対の引手を連結して引戸に取り付けるものである。ジョイント本体は、連結体を有する。連結体は、一方が引手に取り付けられ、他方に係合部が設けられている。前記連結体の係合部は、係合凸部と係合凹部とで形成されている。係合凸部は、外側両面に外側係止歯が形成されている。係合凹部は、内側両面に内側係止歯が形成されている。ジョイント本体は、係合凸部と係合凹部を、他のジョイント本体の係合凹部と係合凸部に係合すると、係合凸部の外側係止歯と係合凹部の内側係止歯が噛み合って、他のジョイント本体と連結するように構成されている。前記内側係止歯は、係合凹部の先部に形成されている。前記内側係止歯は、係合凹部の先部及び後部に形成されている場合もある。
【００１４】
本願発明に係る連結ジョイントを取り付けた一対の引手を、引戸の両方の面側に対向して配置し、引戸に形成された取付長孔に両側から装着する。本願発明に係る連結ジョイントは、一方の引手を引戸の一方の面側から取付長孔に装着し、他方の引手を引戸の他方の面側から取付長孔に装着すると、一方の連結ジョイントの係合凹部に他方の連結ジョイントの係合凸部が係合し、一方の連結ジョイントの係合凸部が他方の連結ジョイントの係合凹部に係合して、一対の連結ジョイントが連結し、一対の引手を引戸にワンタッチで簡単に固定することができる。
【００１５】
本願発明に係る連結ジョイントは、一対の連結ジョイントを連結すると、係合凹部の内側係止歯と係合凸部の外側係止歯が噛み合って係止されるので、連結の解除を困難にすることができる。本願発明に係る連結ジョイントは、一対の引手に取り付ける向きを互いに変えることにより連結させることができるので、一種類を作るだけで良く、コストを安く抑えることができるという効果がある。
【００１６】
本願発明に係る連結ジョイントは、厚みの薄い引戸に一対の引手を取り付ける場合には、一方の連結ジョイントの係合凹部に設けられた内側係止歯が、他方の連結ジョイントの係合凸部に設けられた外側係止歯の深い位置で噛み合って係止される。また、厚みの厚い引戸に一対の引手を取り付ける場合には、一方の連結ジョイントの係合凹部に設けられた内側係止歯が、他方の連結ジョイントの係合凸部に設けられた外側係止歯の浅い位置で噛み合って係止される。このように、本願発明に係る連結ジョイントは、内側係止歯が噛み合う外側係止歯の位置を変えることにより、板厚の異なる引戸に柔軟に対応することができるという効果がある。本願発明に係る連結ジョイントは、引戸の板厚の変化に対応して、内側係止歯の外側係止歯に対する位置が変わっても、内側係止歯全体が外側係止歯に噛み合っているので、引戸の板厚が変わっても内側係止歯と外側係止歯の噛み合う係止力（連結力）が常に一定しており、安定して一対の引戸を連結することができるという効果がある。
【００１７】
また、本願発明に係る連結ジョイントは、係合凸部が矩形体状に形成され、係合凸部の対向する両面外側に外側係止歯が設けられている。さらに、本願発明に係る連結ジョイントは、係合凹部が、基壁と基壁の両側に形成された側壁とで断面略コ字状に形成され、係合凹部の対向する側壁内面に内側係止歯が設けられている。この側壁は、内側係止歯と連結体の間に切り欠きが形成されている。また、側壁は、前記内側係止歯が係合凹部の先部及び後部に形成されている場合、先部側の内側係止歯と後部側の内側係止歯の間に、切り欠きが形成されている。切り欠きは、基壁に形成されている場合もある。
【００１８】
本願発明に係る連結ジョイントは、切り欠きの大きさを変化させることにより、内側係止歯の弾性変形力が変化し、内側係止歯と外側係止歯の噛み合う係止力（連結力）を変化させることもできるという効果がある。連結ジョイントは、係止力（連結力）が弱いと、連結が容易になる一方、外れ易くなり、係止力（連結力）が強いと、連結が強固になる一方、外れ難くなる。このように、本願発明に係る連結ジョイントは、切り欠きの大きさで係止力（連結力）の調整を行うことができ、引戸の重さ・材質・形状に合わせて、また要求に応じて係止力（連結力）を調節することができるという効果がある。
【００１９】
本願発明に係る連結ジョイントは、引手にジョイン本体が一体的に形成されていても良く、上記効果を達成する。
【図面の簡単な説明】
【００２０】
【図１】本願発明に係る連結ジョイントの一つの形態を示す斜視図である。
【図２】図１の連結ジョイントを他方からみた斜視図である。
【図３】図１の連結ジョイントの説明図である。
【図４】図１の連結ジョイントの装着時の説明斜視図である。
【図５】図１の連結ジョイントを装着した引手の引戸への取付斜視図である。
【図６】図１の連結ジョイントの連結前の斜視図である。
【図７】図１の連結ジョイントの連結後の斜視図である。
【図８】図１の連結ジョイントの引戸に装着後の正面図である。
【図９】図８の一部拡大図である。
【図１０】本願発明に係る連結ジョイントの他の形態を示す斜視図である。
【図１１】図１０の連結ジョイントの正面図である。
【図１２】本願発明に係る連結ジョイントの他の形態を示す斜視図である。
【図１３】図１２の連結ジョイントの正面図である。
【発明を実施するための形態】
【００２１】
本願発明に係る連結ジョイントの概要について説明する。図５に示すように、連結ジョイント１は、一対の引手３１を連結して引戸６１に取り付けるものである。ジョイント本体１ａは、連結体２を有する。連結体２は、一方が引手３１に取り付けられ、他方に係合部２０が設けられている。即ち、図１に示すように、連結体２は、一方の面３に引手３１に形成された一対の係合突起５１，５２に係合される一対の係合枠１０，１１が設けられ、他方の面４に係合部２０が設けられている。前記連結体２の係合部２０は、係合凸部２１と係合凹部２２とで形成されている。
【００２２】
図１，２に示すように、係合凸部２１は、外側両面に外側係止歯２１ａ，２１ａが形成されている。係合凹部２２は、内側両面に内側係止歯２３ａ，２４ａが形成されている。図７に示すように、ジョイント本体１ａは、係合凸部２１と係合凹部２２を、他のジョイント本体１ａの係合凹部２２と係合凸部２１に係合すると、係合凸部２１の外側係止歯２１ａ，２１ａと係合凹部２２の内側係止歯２３ａ，２４ａが噛み合って、他のジョイント本体１ａと連結するように構成されている。前記内側係止歯２３ａ，２４ａは、係合凹部２２の先部に形成されている。なお、前記内側係止歯２３ａ，２４ａは、図１２，１３に示すように、係合凹部２２の先部２３ｂ，２４ｂ及び後部２３ｃ，２４ｃに形成されている場合もある。
【００２３】
図４，５に示すように、連結ジョイント１は、一対の係合枠１０，１１を引手３１の一対の係合突起５１，５２に係合させて、引手３１に簡単に取り付けることができる。連結ジョイント１を取り付けた一対の引手３１は、引戸６１の両方の面側に対向して配置し、引戸６１に形成された取付長孔６２に両側から装着する。連結ジョイント１は、一方の引手３１を引戸６１の一方の面側から取付長孔６２に装着し、他方の引手３１を引戸６１の他方の面側から取付長孔６２に装着すると、一方の連結ジョイント１の係合凹部２２に他方の連結ジョイント１の係合凸部２１が係合し、一方の連結ジョイント１の係合凸部２１が他方の連結ジョイント１の係合凹部２２に係合して、一対の連結ジョイント１が連結し、一対の引手３１を引戸６１にワンタッチで簡単に固定することができる（図７参照）。
【００２４】
連結ジョイント１は、一対の連結ジョイント１を連結すると、係合凹部２２の内側係止歯２３ａ，２４ａと係合凸部２１の外側係止歯２１ａ，２１ａが噛み合って係止されるので、連結の解除を困難にすることができる。連結ジョイント１は、一対の引手３１に取り付ける向きを互いに変えることにより連結させることができるので、一種類を作るだけで良く、コストを安く抑えることができる。
【００２５】
連結ジョイント１は、図８（ａ）に示すように、厚みの薄い引戸６１に一対の引手３１を取り付ける場合には、一方の連結ジョイント１の係合凹部２２に設けられた内側係止歯２３ａ，２４ａが、他方の連結ジョイント１の係合凸部２１に設けられた外側係止歯２１ａ，２１ａの深い位置で噛み合って係止される。また、図８（ｂ）に示すように、厚みの厚い引戸６１に一対の引手３１を取り付ける場合には、一方の連結ジョイント１の係合凹部２２に設けられた内側係止歯２３ａ，２４ａが、他方の連結ジョイント１の係合凸部２１に設けられた外側係止歯２１ａ，２１ａの浅い位置で噛み合って係止される。このように、連結ジョイント１は、内側係止歯２３ａ，２４ａが噛み合う外側係止歯２１ａ，２１ａの位置を変えることにより、板厚の異なる引戸６１に柔軟に対応することができる。連結ジョイント１は、引戸６１の板厚の変化に対応して、内側係止歯２３ａ，２４ａの外側係止歯２１ａ，２１ａに対する位置が変わっても、内側係止歯２３ａ，２４ａ全体が外側係止歯２１ａ，２１ａに噛み合っているので、引戸６１の板厚が変わっても内側係止歯２３ａ，２４ａと外側係止歯２１ａ，２１ａの噛み合う係止力（連結力）が常に一定しており、安定して一対の引戸６１を連結することができる。
【００２６】
また、連結ジョイント１は、係合凸部２１が矩形体状に形成され、係合凸部２１の対向する両面外側に外側係止歯２１ａ，２１ａが設けられている。さらに、連結ジョイント１は、係合凹部２２が、基壁２５と基壁２５の両側に形成された側壁２３，２４とで断面略コ字状に形成され、係合凹部２２の対向する側壁２３，２４内面に内側係止歯２３ａ，２４ａが設けられている。この側壁２３，２４は、図１に示すように、内側係止歯２３ａ，２４ａと連結体２の間に切り欠き２６，２７が形成されている。なお、側壁２３，２４は、前記内側係止歯が係合凹部２２の先部及び後部に形成されている場合、先部側の内側係止歯２３ｂ、２４ｂと後部側の内側係止歯２３ｃ、２４ｃの間に、切り欠き２６，２７が形成されている。また、切り欠き２８が、図１０，１１に示すように、基壁２５に形成されている場合もある。
【００２７】
連結ジョイント１は、切り欠き２６，２７の大きさを変化させることにより、内側係止歯２３ａ，２４ａの弾性変形力が変化し、内側係止歯２３ａ，２４ａと外側係止歯２１ａ，２１ａの噛み合う係止力（連結力）を変化させることもできる。連結ジョイント１は、係止力（連結力）が弱いと、連結が容易になる一方、外れ易くなり、係止力（連結力）が強いと、連結が強固になる一方、外れ難くなる。このように、連結ジョイント１は、切り欠き２６，２７の大きさで係止力（連結力）の調整を行うことができ、引戸６１の重さ・材質・形状に合わせて係止力（連結力）を調節することができる。連結ジョイント１は、引手３１にジョイン本体１ａが一体的に形成されていても良い。
【００２８】
さらに、連結ジョイントについて詳細に説明する。図４に示すように、連結ジョイント１は、引戸用引手３１の長手方向両側に取り付けられる。引戸用引手３１は、図５に示すように、引戸６１に形成された取付長孔６２の両側から取り付けられる。引戸６１は、木製、金属製等の種々の材料で平板状に形成され、開閉端６３側近傍に引戸用引手３１を取り付ける取付長孔６２が形成されている。取付長孔６２は、開閉端６３と略並行に延設され、引戸６１を貫通しており、矩形状に形成されている。
【００２９】
引戸用引手３１は、アルミニウム、スチール等の金属、硬質合成樹脂等により成形されている。引戸用引手３１は、図４，５に示すように、長尺状の底壁３２と、前記底壁３２の長手方向Ｘ両側に形成された短側壁３３，３４と、長手方向Ｘと略直交する短手方向Ｙ両側に形成された長側壁３７，３８を有する。短側壁３３，３４は、底壁３２の一方の面３２ａ側に突出しており、先端部３３ａ，３４ａにフランジ３５，３６が形成されている。フランジ３５，３６は、短側壁３３，３４と略直角で外方に突出しており、引戸６１の取付長孔６２の周縁６２ａに係合する。
【００３０】
長側壁３７，３８は、底壁３２の一方の面３２ａ側に突出しており、先端部３７ａ，３８ａにフランジ４０，４１が形成されている。フランジ４０，４１は、長側壁３７，３８と略直角で外方に突出しており、引戸６１の取付長孔６２の周縁６２ａに係合する。フランジ４０，４１と前記フランジ３５，３６は、連続して形成されている。長側壁３７，３８の外側面には、係止爪条４２，４３が長側壁３７，３８の長手方向と略直角の短手方向に延設されている。係止爪条４２，４３は、引戸６１の取付長孔６２の内側壁６２ｂに係止する。
【００３１】
引戸用引手３１の長手方向Ｘ両側に、係合手段５０が設けられている。係合手段５０は、図４に示すように、引戸用引手３１の短側壁３３，３４及びフランジ３５，３６に一体的に形成された一対の略Ｌ字状の係合突起５１，５２及びガイド片５３とからなる。一対の係合突起５１，５２は、固定片５４，５５と、固定片５４，５５と略直角の係合片５６，５７とからなる。係合片５６，５７の先端には、係止爪５６ａ，５７ａが形成されている。前記ガイド片５３は、一対の係合突起５１，５２の略中心に配置され、前端中央部に係合段部５９が形成されている。
【００３２】
図１，２に示すように、連結ジョイント１は、アルミニウム、スチール等の金属、合成樹脂等により成形されている。連結ジョイント１は、板状の連結体２を有する。連結体２の一方の面３の左右両側には、垂直板５，７と係合板６，８によって略Ｌ字状に形成された係合枠１０，１１が設けられている。垂直板５，７は、連結体２の両端に連結体２と略直角となるように設けられている。係合板６，８は、垂直板５，７の先端に垂直板５，７と略直角となるように設けられている。係合板６，８は、対向する内側に延設され、先端に半円状の係合突条１２，１３が形成されている。係合突条１２，１３は、連結体２側に突出している。
【００３３】
また、連結体２の一方の側面中央には、ストッパー１５が設けられてる。当該係合枠１０，１１の係合板６，８は、前記引戸用引手３１の一対の係合突起５１，５２の係合片５６，５７に係合され、係止爪５６ａ，５７ａに係止される。前記ガイド片５３の係合段部５９には、連結ジョイント１の係合板６，８が引戸用引手３１の一対の係合片５６，５７に係合されると、連結ジョイント１のストッパー片１５が当接する。
【００３４】
前記連結体２の他方の面４、即ち、係合枠１０，１１と反対の面には、係合部２０が形成されている。係合部２０は、係合凸部２１と係合凹部２２とで形成されている。係合凸部２１は、矩形体状に形成され、外側面両側に外側係止歯２１ａ，２１ａが設けられている。係合凹部２２は、一対の平板状の側壁２３，２４の間で形成されている。側壁２３，２４の間は、係合凸部２１の厚みと略同程度となっており、内側の側壁２３の内側面と外側の側壁２４の内側面に前記係合凸部２１の外側係止歯２１ａ，２１ａと噛み合う内側係止歯２３ａ，２４ａが設けられている。
【００３５】
又、側壁２３，２４は、補強のため、他端に基壁２５が設けられている。従って、係合凹部２２は、側壁２３，２４と基壁２５によって断面が略コ字状に形成されている。前記係合凹部２２の一対の側壁２３，２４に形成された内側係止歯２３ａ，２４ａは、側壁２３，２４の先端側（連結体２から離れた側）の一部に設けられている。又、側壁２３，２４の内側係止歯２３ａ，２４ａと連結体２の間に断面コ字状の切り欠き２６，２７が形成されている。
【００３６】
係合凸部２１と係合凹部２２は、連結体２の中心を挟んだ両側の略同一位置に設けられている。図６，７に示すように、一対の連結ジョイント１は、一方の連結ジョイント１の係合凸部２１を他方の連結ジョイント１の係合凹部２２に係合させ、一方の連結ジョイント１の係合凹部２２に他方の連結ジョイント１の係合凸部２１を係合させて接続させて、他方の連結ジョイント１に連結することができる。一対の連結ジョイント１は、上記したように接続すると、係合凸部２１の外側係止歯２１ａ，２１ａと係合凹部２２の内側係止歯２３ａ，２４ａが噛み合うので、連結の解除が困難となる。
【００３７】
連結ジョイント１は、上記構成を有し、以下のように使用することができる。図４に示すように、連結ジョイント１は、引戸用引手３１の長手方向両端に取り付ける。連結ジョイント１は、連結体２と係合板６の間の隙間に係合片５７を差し込み、連結体２と係合板８の間の隙間に係合片５６を差し込むことによって、引戸用引手３１に取り付けられる。連結ジョイント１は、ストッパー１５が係合段部５９に当接し、係合枠１０が係合片５７の係止爪５７ａに係止され、係合枠１１が係合片５６の係止爪５６ａに係止され、係合突条１２が係合片５７に圧接し、係合突条１３が係合片５６に圧接して、引戸用引手３１に安定して固定される。このようにして、一対の引戸用引手３１の長手方向両端に連結ジョイント１を取り付けることができる。
【００３８】
図５に示すように、引戸６１の両方の面側に、連結ジョイント１を取り付けた一対の引戸用引手３１を対向して配置し、引戸６１に形成された取付長孔６２に両側から一対の引戸用引手３１を装着する。一方の引戸用引手３１を引戸６１の一方の面側から取付長孔６２に装着し、他方の引戸用引手３１を引戸６１の他方の面側から取付長孔６２に装着すると、引戸用引手３１のフランジ３５，３６，４０、４１が取付長孔６２の周縁６２ａに係合する。略同時に、一対の引戸用引手３１に取り付けた連結ジョイント１は、係合部２０同士が互いに係合して連結するので、一対の引戸用引手３１，３１が引戸６１に固定される。
【００３９】
一対の連結ジョイント１，１の連結は、図７に示すように、一方の連結ジョイント１の係合凹部２２に他方の連結ジョイント１の係合凸部２１が係合し、一方の連結ジョイント１の係合凸部２１が他方の連結ジョイント１の係合凹部２２に係合して行われる。一対の連結ジョイント１，１は、上記したように連結すると、係合凹部２２の内側係止歯２３ａ，２４ａと係合凸部２１の外側係止歯２１ａが噛み合って係止されるので、連結の解除が困難である。
【００４０】
一対の連結ジョイント１，１は、異なる板厚の引戸６１にも対応できる。即ち、図８（ａ），図９（ａ）に示すように、厚みの薄い引戸６１に一対の引戸引手３１，３１を取り付ける場合には、一方の連結ジョイント１の係合凹部２２の内側係止歯２３ａ，２４ａが他方の連結ジョイント１の係合凸部２１の外側係止歯２１ａの深い位置で噛み合って係止される。図８（ｂ），図９（ｂ）に示すように、厚みの厚い引戸６１に一対の引戸引手３１，３１を取り付ける場合には、一方の連結ジョイント１の係合凹部２２の内側係止歯２３ａ，２４ａが他方の連結ジョイント１の係合凸部２１の外側係止歯２１ａの浅い位置で噛み合って係止される。
【００４１】
このように、連結ジョイント１は、内側係止歯２３ａ，２４ａが噛み合う外側係止歯２１ａの位置を変えることにより、引戸６１の厚みに対応することができる。また、連結ジョイント１は、内側係止歯２３ａ，２４ａが噛み合う外側係止歯２１ａの位置を変えても、常に内側係止歯２３ａ，２４ａ全体が噛み合っているので、係止力（連結力）は一定である。
【００４２】
また、連結ジョイント１は、内側係止歯２３ａ，２４ａと外側係止歯２１ａの噛み合う係止力（連結力）を変化させることもできる。連結ジョイント１は、内側係止歯２３ａ，２４ａと連結体２の間の側壁２３，２４に断面コ字状の切り欠き２６，２７が形成されている。切り欠き２６，２７の大きさを変化させることにより、内側係止歯２３，２４ａの弾性変形力が変化する。切り欠き２６，２７を大きくすれば、弾性変形力、即ち係止力（連結力）が弱くなる。切り欠き２６，２７を小さくすれば、弾性変形力、即ち係止力（連結力）が強くなる。
【００４３】
切り欠き２６，２７は、幅Ｈと深さＤで大きさが決まり、主に深さＤを変えて、係止力（連結力）の調整を行うことができる。切り欠き２６，２７が深いと係止力（連結力）が弱くなり、浅いと係止力（連結力）が強くなる。係止力（連結力）が弱いと、連結ジョイント１の連結が容易になる一方、外れ易くなる。係止力（連結力）が強いと、連結ジョイント１の連結が強固になる一方、外れ難くなる。引戸６１が重い場合には、外れ難くし、引戸６１が軽い場合には、連結を容易にする等、種々の対応が可能となる。このように、連結ジョイント１は、切り欠き２６，２７の大きさで係止力（連結力）の調整を行うことができ、引戸６１の重さ・材質・形状に合わせて係止力（連結力）を調節することができる。さらに、連結ジョイント１は、引手３１の交換を前提とした場合、外れ易いようにすることができ、引手３１を長く使用したい場合、外れ難いようにすることができる等、必要に応じて切り欠き２６，２７の大きさで係止力（連結力）の調整を行うことができる。
【００４４】
連結ジョイント１は、主に合成樹脂の成形によって一体成形される。前記した、切り欠き２６，２７は、合成樹脂が注入される成形金型の凸起によって形成される。凸起は、高いと切り欠き２６，２７が深くなり、低いと切り欠き２６，２７が浅くなる。従って、成形金型の凸起を高くしておき、凸起を削り落とすだけで、切り欠き２６，２７の深さを変えて係止力（連結力）を調整することができる。従って、連結ジョイント１を製作する金型は、係止力（連結力）を調節するため、金型を複数用意する必要がなく、凸起の肉を削り落とすだけなので、安価であり、製作が容易である。
【００４５】
上記実施の形態では、連結ジョイント１は、側壁２３，２４に切り欠き２６，２７を形成し、切り欠き２６，２７の大きさを変えて、係止力（連結力）を調整することができるようにした。しかし、図１０，１１に示すように，基壁２５に切り欠き２８を形成し、この切り欠き２８の大きさ（幅又は／及び深さ）を変えて、係止力（連結力）を調整することができるようにしても良い。勿論、側壁２３，２４に切り欠き２６，２７を形成し、基壁２５に切り欠き２８を形成して、係止力（連結力）を調整することもできる。
【００４６】
上記実施の形態では、連結ジョイント１は、側壁２３，２４の先部に内側係止歯２３ａ，２４ａを形成した。しかし、図１２，１３に示すように，側壁２３，２４の先部に内側係止歯２３ｂ，２４ｂを形成し、側壁２３，２４の後部に内側係止歯２３ｃ，２４ｃを形成しても良い。このように形成した一対の連結ジョイント１，１は、厚みの薄い引戸６１に一対の引戸引手３１，３１を取り付ける場合には、一方の連結ジョイント１の係合凹部２２の内側係止歯２３ｂ，２４ｂ及び内側係止歯２３ｃ，２４ｃが他方の連結ジョイント１の係合凸部２１の外側係止歯２１ａの深い位置と浅い位置で噛み合って係止される。厚みの厚い引戸６１に一対の引戸引手３１，３１を取り付ける場合には、一方の連結ジョイント１の係合凹部２２の内側係止歯２３ｂ，２４ｂが他方の連結ジョイント１の係合凸部２１の外側係止歯２１ａの浅い位置で噛み合って係止される。係る場合、側壁２３，２４は、先部の内側係止歯２３ｂ，２４ｂと後部の内側係止歯２３ｃ，２４ｃの間に切り欠き２６，２７が形成される。
【産業上の利用可能性】
【００４７】
本願発明は、引戸に一対の引手を連結して取り付ける連結ジョイントに利用可能である。
【符号の説明】
【００４８】
１  連結ジョイント
１ａ  ジョイント本体
２  連結体
３  一方の面
４  他方の面
５  垂直板
６  係合板
７  垂直板
８  係合板
１０  係合枠
１１  係合枠
１２  係合突条
１３  係合突条
１５  ストッパー
２０  係合部
２１  係合凸部
２１ａ  外側係止歯
２２  係合凹部
２３  側壁
２３ａ  内側係止歯
２３ｂ  内側係止歯
２３ｃ  内側係止歯
２４  側壁
２４ａ  内側係止歯
２４ｂ  内側係止歯
２４ｃ  内側係止歯
２５  基壁
２６  切り欠き
２７  切り欠き
２８  切り欠き
３１  引戸用引手
３２  底壁
３２ａ  一方の面
３３  短側壁
３３ａ  先端部
３４  短側壁
３４ａ  先端部
３５  フランジ
３６  フランジ
３７  長側壁
３７ａ  先端部
３８  長側壁
３８ａ  先端部
４０  フランジ
４１  フランジ
４２  係止爪条
４３  係止爪条
５０  係合手段
５１  係合突起
５２  係合突起
５３  ガイド片
５４  固定片
５５  固定片
５６  係合片
５６ａ  係止爪
５７  係合片
５７ａ  係止爪
５９  係合段部
６１  引戸
６２  取付長孔
６２ａ  周縁
６２ｂ  内側壁
６３  開閉端
【図１】
0006563715.tif 000002
【図２】
0006563715.tif 000003
【図３】
0006563715.tif 000004
【図４】
0006563715.tif 000005
【図５】
0006563715.tif 000006
【図６】
0006563715.tif 000007
【図７】
0006563715.tif 000008
【図８】
0006563715.tif 000009
【図９】
0006563715.tif 000010
【図１０】
0006563715.tif 000011
【図１１】
0006563715.tif 000012
【図１２】
0006563715.tif 000013
【図１３】
0006563715.tif 000014